(57)【要約】【課題】キャパシタを用いて待機電力を効果的に低減することのできる待機電力低減モジュールを提供する。【解決手段】所定の容量を有するキャパシタ（電気二重層キャパシタＥＤＬＣ１、２）と、キャパシタへの充電を制御する充電制御手段（チャージャＩＣ１２１）と、キャパシタの満充電状態を検知する検知手段（キャパシタ充電回路１２０）と、外部電源（コンバータ１１）の電源電圧およびキャパシタの電圧を監視する電圧監視手段（電圧監視ＩＣ１２２）と、電圧監視手段からの制御信号により負荷２０に対する電力の供給源を切り換える切換手段（スイッチ制御部１２４）とを備え、電圧監視手段は、電源電圧およびキャパシタの電圧が予め設定される閾値以下となった場合に制御信号を出力し、切換手段は、制御信号に基づいて、電力の供給源を外部電源またはキャパシタのいずれかに切り換える。【選択図】図１
2014023242.tif 000002
【特許請求の範囲】
【請求項１】
所定の容量を有するキャパシタと、
前記キャパシタへの充電を制御する充電制御手段と、
前記キャパシタの満充電状態を検知する検知手段と、
外部電源の電源電圧および前記キャパシタの電圧を監視する電圧監視手段と、
前記電圧監視手段からの制御信号により負荷に対する電力の供給源を切り換える切換手段と
を備え、
前記電圧監視手段は、前記電源電圧および前記キャパシタの電圧が予め設定される閾値以下となった場合に前記制御信号を出力し、
前記切換手段は、前記制御信号に基づいて、電力の供給源を前記外部電源または前記キャパシタのいずれかに切り換えることを特徴とする待機電力低減モジュール。
【請求項２】
前記切換手段は、前記負荷が待機状態の場合には前記キャパシタを電力の供給源とするように切り換えることを特徴とする請求項１に記載の待機電力低減モジュール。
【請求項３】
前記検知手段は、前記キャパシタの満充電状態を検知した際にフラグ信号を出力することを特徴とする請求項１または請求項２に記載の待機電力低減モジュール。
【請求項４】
前記充電制御手段は、前記電圧監視手段によって前記キャパシタの電圧が予め設定される閾値以下となった場合に、前記制御信号に基づいて、前記外部電源に接続し、前記キャパシタが満充電になるまで充電を行うように制御することを特徴とする請求項１〜３のいずれか１項に記載の待機電力低減モジュール。
【請求項５】
前記充電制御手段は、前記キャパシタが満充電状態になった場合には、前記フラグ信号に基づいて前記外部電源への接続を解除することを特徴とする請求項３または４に記載の待機電力低減モジュール。
【請求項６】
前記充電制御手段は、前記キャパシタに接続されたチャージャＩＣで構成されることを特徴とする請求項１〜５のいずれか１項に記載の待機電力低減モジュール。
【請求項７】
前記キャパシタは、電気二重層キャパシタで構成されることを特徴とする請求項１〜６のいずれか１項に記載の待機電力低減モジュール。
【請求項８】
前記キャパシタは、２以上設けられていることを特徴とする請求項１〜７のいずれか１項に記載の待機電力低減モジュール。
【請求項９】
前記負荷は、各種電気機器を含むことを特徴とする請求項１〜８のいずれか１項に記載の待機電力低減モジュール。
【請求項１０】
前記外部電源は、交流電源および整流手段で構成されることを特徴とする請求項１〜９のいずれか１項に記載の待機電力低減モジュール。
【請求項１１】
前記外部電源は、前記交流電源と前記整流手段との間に、半導体リレーを有することを特徴とする請求項１０に記載の待機電力低減モジュール。
【請求項１２】
請求項１〜１１のいずれかに１項に記載の待機電力低減モジュールを備えることを特徴とする電気機器。
【発明の詳細な説明】
【技術分野】
【０００１】
本発明は、待機電力低減モジュールおよび電気機器に係り、特にキャパシタを用いて待機電力を効果的に低減することのできる待機電力低減モジュールおよび電気機器に関する。
【背景技術】
【０００２】
従来から動作モードと待機モードを有する各種電気機器において、待機中における消費電力を低減する待機電力低減に関する技術が種々提案されている。
【０００３】
例えば、テレビ受像機やＤＶＤレコーダ等の電気機器においては、動作時以外は主電源がオフされることにより、待機状態に保たれる。そして、待機状態においては、例えば、時計機能や録画予約機能等の所定の機能を維持するための最低限の電力が供給されるように構成されている。
【０００４】
ところで、一般的に各種電気機器は動作時間に比較して待機時間の方がはるかに長い場合が多い。そのため、電気機器の全体的な省電力化を図るためには、待機電力をいかに低減するかが重要である。
【０００５】
従来における待機電力低減に関する技術としては、例えば特許文献１等が挙げられる。
【先行技術文献】
【特許文献】
【０００６】
【特許文献１】特開２００５−１９２３６２号公報
【発明の概要】
【発明が解決しようとする課題】
【０００７】
従来の待機電力低減装置や回路では、主電源より供給される電力について、待機状態においては必要最小限の部位のみに供給し、その他の部位への電力供給を遮断することで、消費電力の低減を図っていた。
【０００８】
しかし、必要最小限の部位においては、僅かではあるが電力消費がされており、電気機器の全体的な省電力化は不十分であった。
【０００９】
本発明の目的は、キャパシタを用いて待機電力を効果的に低減することのできる待機電力低減モジュールおよび電気機器を提供することにある。
【課題を解決するための手段】
【００１０】
上記目的を達成するための本発明の一態様によれば、所定の容量を有するキャパシタと、前記キャパシタへの充電を制御する充電制御手段と、前記キャパシタの満充電状態を検知する検知手段と、外部電源の電源電圧および前記キャパシタの電圧を監視する電圧監視手段と、前記電圧監視手段からの制御信号により負荷に対する電力の供給源を切り換える切換手段とを備え、前記電圧監視手段は、前記電源電圧および前記キャパシタの電圧が予め設定される閾値以下となった場合に前記制御信号を出力し、前記切換手段は、前記制御信号に基づいて、電力の供給源を前記外部電源または前記キャパシタのいずれかに切り換える待機電力低減モジュールが提供される。
【００１１】
本発明の他の態様によれば、請求項１〜１１のいずれかに１項に記載の待機電力低減モジュールを備える電気機器が提供される。
【発明の効果】
【００１２】
本発明によれば、キャパシタを用いて待機電力を効果的に低減することのできる待機電力低減モジュールおよび電気機器を提供することができる。
【図面の簡単な説明】
【００１３】
【図１】第１の実施形態に係る待機電力低減モジュールの構成例を示す回路図。
【図２】第１の実施形態に係る待機電力低減モジュールを適用した電気機器の概略構成を示すブロック図。
【図３】第１の実施形態に係る待機電力低減モジュールで実行される待機電力低減処理の処理手順を示すフローチャート（その１）。
【図４】第１の実施形態に係る待機電力低減モジュールで実行される待機電力低減処理の処理手順を示すフローチャート（その２）。
【図５】第１の実施形態に係る待機電力低減モジュールで実行される待機電力低減処理の処理手順を示すフローチャート（その３）。
【図６】第２の実施形態に係る待機電力低減モジュールの構成例を示す回路図。
【図７】第２の実施形態に係る待機電力低減モジュールを適用した電気機器の概略構成を示すブロック図。
【図８】第２の実施形態に係る待機電力低減モジュールで実行される待機電力低減処理の処理手順を示すフローチャート（その１）。
【図９】第２の実施形態に係る待機電力低減モジュールで実行される待機電力低減処理の処理手順を示すフローチャート（その２）。
【図１０】第２の実施形態に係る待機電力低減モジュールで実行される待機電力低減処理の処理手順を示すフローチャート（その３）。
【図１１】実施の形態に適用される電気二重層キャパシタを示す図であり、（ａ）電気二重層キャパシタの斜視図、（ｂ）電気二重層キャパシタの実装例を示す斜視図。
【発明を実施するための形態】
【００１４】
次に、図面を参照して、実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１５】
又、以下に示す実施の形態は、この発明の技術的思想を具体化するための装置や方法を例示するものであって、この発明の実施の形態は、構成部品の材質、形状、構造、配置等を下記のものに特定するものでない。この発明の実施の形態は、特許請求の範囲において、種々の変更を加えることができる。
【００１６】
[実施の形態]
［第１の実施の形態］
（待機電力低減モジュール）
図１は、第１の実施形態に係る待機電力低減モジュール１２の構成例を示す回路図である。
【００１７】
第１の実施形態に係る待機電力低減モジュール１２は、所定の容量を有するキャパシタ（例えば、電気二重層キャパシタＥＤＬＣ１、ＥＤＬＣ２）と、キャパシタＥＤＬＣ１、２への充電を制御する充電制御手段（チャージャＩＣ１２１）と、キャパシタＥＤＬＣ１、２の満充電状態を検知する検知手段（キャパシタ充電回路１２０）と、外部電源（例えば、コンバータ１１）の電源電圧およびキャパシタＥＤＬＣ１、２の電圧を監視する電圧監視手段（電圧監視ＩＣ１２２）と、電圧監視手段からの制御信号により負荷２０に対する電力の供給源を切り換える切換手段（例えば、スイッチ制御部１２４）とを備え、電圧監視手段は、電源電圧およびキャパシタＥＤＬＣ１、２の電圧が予め設定される閾値以下となった場合に制御信号を出力し、切換手段は、制御信号に基づいて、電力の供給源を外部電源またはキャパシタＥＤＬＣ１、２のいずれかに切り換えるように構成される。
【００１８】
なお、切換手段（スイッチ制御部１２４）は、負荷２０が待機状態の場合にはキャパシタＥＤＬＣ１、２を電力の供給源とするように切り換える。
【００１９】
また、検知手段（キャパシタ充電回路１２０）は、キャパシタＥＤＬＣ１、２の満充電状態を検知した際にフラグ信号を出力する。
【００２０】
また、充電制御手段（チャージャＩＣ１２１）は、電圧監視手段に（電圧監視回路１２３）よってキャパシタＥＤＬＣ１、２の電圧が予め設定される閾値以下となった場合に、制御信号に基づいて、外部電源に接続し、キャパシタＥＤＬＣ１、２が満充電になるまで充電を行うように制御可能である。
【００２１】
また、充電制御手段（チャージャＩＣ１２１）は、キャパシタＥＤＬＣ１、２が満充電状態になった場合には、フラグ信号に基づいて外部電源への接続を解除可能である。
【００２２】
なお、本実施の形態では、キャパシタＥＤＬＣ１、２は、２個となっているが、用途によっては、１個または３個以上としても良い。
【００２３】
また、負荷２０は、各種電気機器（例えば、テレビ受像機やＤＶＤレコーダ等）を含んでいても良い。
【００２４】
また、外部電源は、図２に示すように交流電源１０および整流手段（例えば、コンバータ１１）で構成可能である。
【００２５】
より具体的には、図１に示すように、キャパシタ充電回路１２０はチャージャＩＣ１２１を備え、電圧監視回路１２３は電圧監視ＩＣ１２２を備え、スイッチ制御部１２４はＳＷ_ＣＴＬ部１２５を備える。
【００２６】
チャージャＩＣ１２１は、キャパシタＥＤＬＣ１、２に対する充電処理を制御するＩＣであり、入出力端子Ｖｉｎ、Ｃ＋、Ｃ−、ＳＨＤＮ、ＳＥＬ、Ｃｏｕｔ、ＢＡＬ、ＧＮＤ、ＣＨＧ、ＣＴＬを備える。
【００２７】
ここで、端子Ｖｉｎは、ノードＮ１０、Ｎ１１および端子Ｔ１を介して、コンバータ１１の電源Ｖｃｃに接続されている。また、端子Ｃ＋、Ｃ−にはコンデンサＣ１が接続される。
【００２８】
また、端子ＳＨＤＮとＳＥＬ間には、ノードＮ１２、Ｎ１３を介してコンデンサＣ２が接続される。また、端子ＣＴＬには抵抗素子Ｒ１が接続され、抵抗素子Ｒ１の他端はノードＮ１４を介してコンデンサＣ２および後述する電気二重層キャパシタＥＤＬＣ２に接続されている。また、ノードＮ１４は、待機電力低減モジュール１２のＧＮＤ端子Ｔ２に接続される。
【００２９】
また、端子ＣｏｕｔとＢＡＬとの間にはノードＮ１５，Ｎ１６を介して電気二重層キャパシタＥＤＬＣ１が接続されている。また、端子ＢＡＬとＧＮＤとの間にはノードＮ１６，Ｎ１７を介して電気二重層キャパシタＥＤＬＣ２が接続される。
【００３０】
また、端子ＣＨＧは、待機電力低減モジュール１２の端子ＣＨ_Ｇｏｏｄに接続される。
【００３１】
一方、電圧監視ＩＣ１２２は、電圧を監視するＩＣであり、入出力端子Ｖｉｎ、ＧＮＤ、ＣＴＬ、ＳＥＮＳ、ＧＡＴＥ、ＳＴＡＴを備える。
【００３２】
ここで、端子Ｖｉｎは、ノードＮ１５を介して電気二重層キャパシタＥＤＬＣ１および後述するスイッチＳＷ２に接続される。
【００３３】
なお、本実施の形態においてスイッチＳＷ１、ＳＷ２は、ショットキーバリアダイオードとＦＥＴとの組み合わせで構成される。
【００３４】
端子ＧＮＤおよびＣＴＬは、ノードＮ１７、Ｎ１８を介して電気二重層キャパシタＥＤＬＣ２に接続されている。なお、ノードＮ１７は待機電力低減モジュール１２の端子ＧＮＤに接続される。
【００３５】
また、端子ＳＥＮＳとＳＴＡＴとの間にはノードＮ１９、Ｎ２０を介して電圧測定用の抵抗素子Ｒ２が接続される。
【００３６】
また、端子ＧＡＴＥにはＳＷ_ＣＴＬ部１２５の端子Ｓ２_ＩＮが接続されている。
【００３７】
ＳＷ_ＣＴＬ部１２５は、スイッチを制御する回路であり、入出力端子Ｓ１_ＩＮ、Ｓ２０、Ｓ２_ＩＮ、ＳＴＢＹ_ＩＮ、ＳＩＯを備える。
【００３８】
ここで、端子Ｓ１_ＩＮは、抵抗端子Ｒ２、ノードＮ２１、Ｎ２２を介して、スイッチＳＷ１、ＳＷ２の出力側に接続される。
【００３９】
端子Ｓ２０は、スイッチＳＷ２のＦＥＴで構成されるスイッチング用トランジスタＴｒ２のゲートに接続されている。また、端子ＳＩＯはスイッチＳＷ１のＦＥＴで構成されるスイッチング用トランジスタＴｒ１のゲートに接続される。
【００４０】
また、端子ＳＴＢＹ_ＩＮは、待機電力低減モジュール１２の端子ＳＴＢＹに接続される。
【００４１】
また、スイッチＳＷ１の入力側は、ノードＮ２３、Ｎ１０を介して外部電源としてのコンバータ１１に接続される。
【００４２】
また、スイッチＳＷ２の入力側は、ノードＮ２４、Ｎ１５を介して電気二重層キャパシタＥＤＬＣ１，２と接続される。
【００４３】
スイッチＳＷ１、ＳＷ２の出力側は、待機電力低減モジュール１２の出力端子Ｖｏｕｔに接続される。
【００４４】
以上の構成により、電圧監視ＩＣ１２２は、電源電圧およびキャパシタの電圧が予め設定される閾値以下となった場合に制御信号を出力し、ＳＷ_ＣＴＬ部１２５は、制御信号に基づいて、電力の供給源を外部電源としてのコンバータ１１または電気二重層キャパシタＥＤＬＣ１，２のいずれかに切り換えることができる。
【００４５】
これにより、負荷としての各種電気機器における待機電力を効果的に低減することができる。
【００４６】
なお、待機電力低減処理の処理手順については後述する。
【００４７】
（電気機器）
図２は、第１の実施形態に係る待機電力低減モジュール１２を適用した電気機器１００の概略構成を示すブロック図である。
【００４８】
図２に示す例では、電気機器１００は、駆動部１３、表示部１４、音声制御部１５および制御回路部１６を負荷２０として備えるテレビ受像機等が想定される。
【００４９】
図２に示すように、第１の実施形態に係る待機電力低減モジュール１２は、交流電源１０に接続される整流手段としてのコンバータ１１と負荷２０との間に接続される。
【００５０】
また、待機電力低減モジュール１２は、信号線４０を介して制御回路部１６に接続される。
【００５１】
このように、待機電力低減モジュール１２を搭載したテレビ受像機等の電気機器１００では、電圧監視ＩＣ１２２は、電源電圧およびキャパシタの電圧が予め設定される閾値以下となった場合に制御信号を出力し、ＳＷ_ＣＴＬ部１２５は、制御信号に基づいて、電力の供給源を外部電源としてのコンバータ１１または電気二重層キャパシタＥＤＬＣ１，２のいずれかに切り換えることができる。
【００５２】
これにより、電気機器１００における待機電力を効果的に低減することができる。
【００５３】
（待機電力低減処理）
第１の実施形態に係る待機電力低減モジュール１２で実行される待機電力低減処理の処理手順について図３〜図５のフローチャートを参照して説明する。
【００５４】
（ａ）この処理が開始されると、まず、ステップＳ１０で、電気機器１００が待機モードか否かが判定される。そして、判定結果が「Ｎｏ」の場合にはステップＳ１１に移行する。
【００５５】
（ｂ）ステップＳ１１では通常モード処理が行われ、ステップＳ１２でスイッチＳＷ１がオン、スイッチＳＷ２がオフとされる。次いで、ステップＳ１３に移行し、外部電源としてのコンバータ１１を電源として、チャージャＩＣにより電気二重層キャパシタＥＤＬＣ１，２が充電される。
【００５６】
（ｃ）ステップＳ１４では、スイッチ制御部（ＳＷ_ＣＴＬ部１２５）１２４により各スイッチＳＷ１、ＳＷ２を制御してステップＳ１５に移行する。
【００５７】
（ｄ）ステップＳ１５では、電圧監視ＩＣ１２２により電源の電圧低下が検知されたか否かが判定され、「Ｎｏ」の場合には待機し、「Ｙｅｓ」の場合にはステップＳ１６に移行する。
【００５８】
（ｅ）ステップＳ１６では、電源の電圧が低下したことに対応すべく、電気二重層キャパシタＥＤＬＣ１，２によってバックアップされて処理を終了する。これにより、負荷２０における最低限の電力が電気二重層キャパシタＥＤＬＣ１，２によって確保される。
【００５９】
（ｆ）一方、ステップＳ１０で、「Ｙｅｓ」と判定された場合にはステップＳ１７に移行する。
【００６０】
（ｇ）ステップＳ１７では、ＳＴＢＹ信号がスイッチ制御部（ＳＷ_ＣＴＬ部１２５）１２４に入力される。
【００６１】
（ｈ）ステップＳ１８では、スイッチ制御部（ＳＷ_ＣＴＬ部１２５）１２４の制御により、スイッチＳＷ１がオフ、スイッチＳＷ２がオンとされる。これにより、電気機器１００の待機モード状態において、電気二重層キャパシタＥＤＬＣ１，２によって電力供給がされる。
【００６２】
（ｉ）次いで、ステップＳ１９では、電圧監視ＩＣ１２２により電源の電圧低下が検知されたか否かが判定され、「Ｎｏ」の場合には待機し、「Ｙｅｓ」の場合にはステップＳ２０に移行する。
【００６３】
（ｊ）ステップＳ２０は、スイッチ制御部（ＳＷ_ＣＴＬ部１２５）１２４の制御により、スイッチＳＷ１がオン、スイッチＳＷ２がオフとされる。これにより、ステップＳ２０で、外部電源としてのコンバータ１１によって電力供給がされる。即ち、電気二重層キャパシタＥＤＬＣ１，２の電圧が下がってくると電圧監視ＩＣが電圧降下を感知してＧＡＴＥ信号、ＳＴＡＴ信号が変化し、スイッチ制御部（ＳＷ_ＣＴＬ部１２５）１２４がＳＷ１をオン、ＳＷ２をオフにすることで電源を供給する。
【００６４】
（ｋ）ステップＳ２２では、電気二重層キャパシタＥＤＬＣ１，２が満充電か否かが判定され、「Ｎｏ」の場合には待機し、「Ｙｅｓ」の場合にはステップＳ２３に移行する。即ち、電源が供給され電気二重層キャパシタＥＤＬＣ１，２が満充電になるとＣＨＧ信号が出力され、電気二重層キャパシタＥＤＬＣ１，２が満充電であることを制御回路部１６へ知らせる。また、電気二重層キャパシタＥＤＬＣ１，２が満充電になっていないとＳＴＢＹ信号は入力されないように制御回路部１６でコントロールする。
【００６５】
（ｌ）ステップＳ２３では、電気機器１００の制御回路部１６に電気二重層キャパシタＥＤＬＣ１，２が満充電状態である旨が通知される。
【００６６】
（ｍ）次いで、ステップＳ２４では、電気機器１００の待機モードは解除されたか否かが判定され、「Ｎｏ」の場合には待機し、「Ｙｅｓ」の場合にはステップＳ２５に移行する。
【００６７】
ステップＳ２５では、ＳＴＢＹ信号が解除され、ステップＳ２６では、スイッチ制御部（ＳＷ_ＣＴＬ部１２５）１２４により各スイッチＳＷ１、ＳＷ２を制御してステップＳ２７に移行する。
【００６８】
(ｎ)ステップＳ２７では、スイッチＳＷ１がオン、スイッチＳＷ２がオフとされる。これにより、外部電源としてのコンバータ１１によって電気機器１００の負荷２０に電力供給がされた後、終了する。
【００６９】
以上のような処理手順により、電気機器１００における待機電力を効果的に低減することができる。
【００７０】
［第２の実施の形態］
（待機電力低減モジュール）
図６は、第２の実施形態に係る待機電力低減モジュール１２ａの構成例を示す回路図である。
【００７１】
第２の実施形態に係る待機電力低減モジュール１２ａの構成は、第１の実施形態に係る待機電力低減モジュール１２と殆ど同じであるので、同一符号を付して重複した説明は省略する。
【００７２】
第１の実施形態に係る待機電力低減モジュール１２と異なる点は、スイッチ制御部１２４ａが備えるＳＷ_ＣＴＬ部１２５ａが、端子ＳＳＲ_ＯＮを備え、待機電力低減モジュール１２ａも対応する端子ＳＳＲ_ＯＮを備える点である。
【００７３】
この端子ＳＳＲ_ＯＮは、待機電力低減モジュール１２ａが電気機器に搭載された際に、半導体リレーとしてのＳＳＲ（ソリッドステートリレー）３０に接続される。
【００７４】
このような構成により、電圧監視ＩＣ１２２は、電源電圧およびキャパシタの電圧が予め設定される閾値以下となった場合に制御信号を出力し、ＳＷ_ＣＴＬ部１２５ａは、制御信号に基づいて、電力の供給源を外部電源としてのコンバータ１１または電気二重層キャパシタＥＤＬＣ１，２のいずれかに切り換えることができる。
【００７５】
これにより、負荷としての各種電気機器における待機電力を効果的に低減することができる。
【００７６】
特に、ＳＷ_ＣＴＬ部１２５ａが端子ＳＳＲ_ＯＮを備え、コンバータ１１の前段に配置されるＳＳＲ３０に接続されて、このＳＳＲ３０を適宜オン・オフさせることにより、コンバータ１１への通電を遮断することができる。これにより、コンバータ１１への通電による消費電力を抑えることができ、各種電気機器における待機電力をより効果的に低減することができる。
【００７７】
なお、待機電力低減処理の処理手順については後述する。
【００７８】
（電気機器）
図７は、第２の実施形態に係る待機電力低減モジュール１２ａを適用した電気機器２００の概略構成を示すブロック図である。
【００７９】
図７に示す例では、電気機器２００は、駆動部１３、表示部１４、音声制御部１５および制御回路部１６を負荷２０として備えるテレビ受像機等が想定される。
【００８０】
図７に示すように、第２の実施形態に係る待機電力低減モジュール１２ａは、交流電源１０の後段に配置されるＳＳＲ（ソリッドステートリレー）３０に接続される整流手段としてのコンバータ１１と負荷２０との間に接続されている。
【００８１】
ここで、ＳＳＲ（ソリッドステートリレー）とは、リレー（継電器）と同様の機能を半導体によって実現した素子である。即ち、従来のリレーは電磁石と接点からなるスイッチを構成しているが、ＳＳＲではその動作を半導体によって実現させている。
【００８２】
ＳＳＲは、入力段(電磁石相当部)にＬＥＤ等の光半導体を用い、出力段(接点部)にトランジスタやトライアック等の半導体制御回路を用いており、高速応答が可能で、かつ、接点寿命が無いという特徴を有する。
【００８３】
また、待機電力低減モジュール１２ａは、信号線４０を介して制御回路部１６に接続される。
【００８４】
さらに、ＳＳＲ３０は、信号線４１を介して制御回路部１６に接続される。
【００８５】
このように、待機電力低減モジュール１２ａを搭載したテレビ受像機等の電気機器２００では、電圧監視ＩＣ１２２は、電源電圧およびキャパシタの電圧が予め設定される閾値以下となった場合に制御信号を出力し、ＳＷ_ＣＴＬ部１２５は、制御信号に基づいて、電力の供給源を外部電源としてのコンバータ１１または電気二重層キャパシタＥＤＬＣ１，２のいずれかに切り換えることができる。
【００８６】
これにより、電気機器１００における待機電力を効果的に低減可能である。
【００８７】
また、制御回路部１６の制御により、ＳＳＲ３０を適宜オン・オフさせることによって、コンバータ１１への通電を遮断することができる。これにより、コンバータ１１への通電による消費電力を抑えることができ、電気機器２００における待機電力をより効果的に低減可能である。
【００８８】
（待機電力低減処理）
第２の実施形態に係る待機電力低減モジュール１２ａで実行される待機電力低減処理の処理手順について図８〜図１０のフローチャートを参照して説明する。
【００８９】
（ａ）この処理が開始されると、まず、ステップＳ３０で、電気機器２００が待機モードか否かが判定される。そして、判定結果が「Ｎｏ」の場合にはステップＳ３１に移行する。
【００９０】
（ｂ）ステップＳ３１では、ＳＳＲ３０はオンされ、コンバータ１１に電力が供給される。即ち、通常の使用時はＳＳＲ３０はオン状態になっており交流電源１０からコンバータ１１に電力が供給される。
【００９１】
（ｃ）ステップＳ３２では、スイッチＳＷ１がオン、スイッチＳＷ２がオフにされ、ステップＳ３３に移行する。
【００９２】
（ｄ）ステップＳ３３では、コンバータ１１から負荷２０に電力が供給される。
【００９３】
（ｅ）ステップＳ３４では、外部電源としてのコンバータ１１を電源として、チャージャＩＣにより電気二重層キャパシタＥＤＬＣ１，２が充電される。
【００９４】
（ｆ）ステップＳ３５では、スイッチ制御部（ＳＷ_ＣＴＬ部１２５ａ）１２４ａにより各スイッチＳＷ１、ＳＷ２を制御してステップＳ３６に移行する。
【００９５】
（ｇ）ステップＳ３６では、電圧監視ＩＣ１２２により電源の電圧低下が検知されたか否かが判定され、「Ｎｏ」の場合には待機し、「Ｙｅｓ」の場合にはステップＳ３７に移行する。
【００９６】
（ｈ）ステップＳ３７では、電源の電圧が低下したことに対応すべく、電気二重層キャパシタＥＤＬＣ１，２によってバックアップされて処理を終了する。これにより、負荷２０における最低限の電力が電気二重層キャパシタＥＤＬＣ１，２によって確保される。
【００９７】
（ｉ）一方、ステップＳ３０で、「Ｙｅｓ」と判定された場合にはステップＳ３８に移行する。
【００９８】
（ｊ）ステップＳ３８では、ＳＳＲ３０がオフにされ、ステップＳ３９に移行する。即ち、待機モードになると制御回路部１６がＳＳＲ３０をオフ状態にして完全に交流電源１０から切り離す。
【００９９】
（ｋ）ステップＳ３９では、ＳＴＢＹ信号がスイッチ制御部（ＳＷ_ＣＴＬ部１２５ａ）１２４ａに入力される。
【０１００】
（ｌ）ステップＳ４０では、スイッチ制御部（ＳＷ_ＣＴＬ部１２５ａ）１２４ａの制御により、スイッチＳＷ１がオフ、スイッチＳＷ２がオンとされる。これにより、電気機器２００の待機モード状態において、電気二重層キャパシタＥＤＬＣ１，２によって電力供給がされる。
【０１０１】
（ｍ）次いで、ステップＳ４１では、電圧監視ＩＣ１２２により電源の電圧低下が検知されたか否かが判定され、「Ｎｏ」の場合には待機し、「Ｙｅｓ」の場合にはステップＳ４２に移行する。
【０１０２】
(ｎ)ステップＳ４２では、スイッチ制御部（ＳＷ_ＣＴＬ部１２５ａ）１２４ａの制御により、スイッチＳＷ１がオン、スイッチＳＷ２がオフとされる。
【０１０３】
(ｏ)ステップＳ４３では、ＳＳＲ_ＯＮ信号が、制御回路部１６に出力される。ステップＳ４４では、制御回路部１６の制御によりＳＳＲ３０がオンにされる。これにより、ステップＳ４５で、コンバータ１１を介して負荷２０に電源が供給される。このように、電気二重層キャパシタＥＤＬＣ１，２の電圧が下がってくると電圧監視ＩＣが電圧降下を感知してＧＡＴＥ信号、ＳＴＡＴ信号が変化し、制御回路部１６がＳＷ１をオン、ＳＷ２をオフにするともにＳＳＲ_ＯＮ信号が制御回路部１６へ出力され、制御回路部１６がＳＳＲをオン状態にする。この時、コンバータ１１を経由して負荷２０に電源が供給される。
【０１０４】
（ｐ）ステップＳ４７では、電気二重層キャパシタＥＤＬＣ１，２が満充電か否かが判定され、「Ｎｏ」の場合には待機し、「Ｙｅｓ」の場合にはステップＳ４８に移行する。
【０１０５】
ステップＳ４８では、電気機器２００の制御回路部１６に電気二重層キャパシタＥＤＬＣ１，２が満充電状態である旨が通知される。即ち、電源が供給され電気二重層キャパシタＥＤＬＣ１，２が満充電になるとＣＨＧ信号が出力され、電気二重層キャパシタＥＤＬＣ１，２が満充電であることを制御回路部１６へ知らせる。また、電気二重層キャパシタＥＤＬＣ１，２が満充電になっていないとＳＴＢＹ信号は入力されないように制御回路部１６でコントロールする。
【０１０６】
（ｑ）次いで、ステップＳ４９では、電気機器２００の待機モードは解除されたか否かが判定され、「Ｎｏ」の場合には待機し、「Ｙｅｓ」の場合にはステップＳ５０に移行する。
【０１０７】
（ｒ）ステップＳ５０では、スイッチ制御部（ＳＷ_ＣＴＬ部１２５ａ）１２４ａの制御によりスイッチＳＷ１、ＳＷ２が制御される。
【０１０８】
（ｓ）ステップＳ５１では、スイッチＳＷ１がオン、スイッチＳＷ２がオフとされる。これにより、ステップＳ５２で外部電源としてのコンバータ１１によって電気機器２００の負荷２０に電力供給がされた後、終了する。
【０１０９】
以上のような処理手順により、電気機器２００における待機電力を効果的に低減することができる。
【０１１０】
（電気二重層キャパシタ）
図１１は、実施の形態に適用される電気二重層キャパシタＥＤＬＣ１，２を示す図であり、図１１（ａ）は電気二重層キャパシタＥＤＬＣ１，２の斜視図、図１１（ｂ）は電気二重層キャパシタＥＤＬＣ１，２の実装例を示す斜視図である。
【０１１１】
図１１（ａ）に示すように、電気二重層キャパシタＥＤＬＣ１（ＥＤＬＣ２）は、ラミネート型蓄電デバイスの一種として構成することができる。
【０１１２】
電気二重層キャパシタＥＤＬＣ１（ＥＤＬＣ２）は、アルミニウムで構成されるタブ電極３４ａ，３４ｂを備えている。
【０１１３】
また、図１１（ｂ）に示すように、電気二重層キャパシタＥＤＬＣ１（ＥＤＬＣ２）を電気機器等に実装する際には、モジュール基板５００の電極パッド２４ａ、２４ｂおよびはんだ付け部２５ａ、２５ｂを介して、電気二重層キャパシタＥＤＬＣ１（ＥＤＬＣ２）のタブ電極３４ａ，３４ｂがはんだ付けされる。
【０１１４】
[その他の実施の形態]
上記のように、実施の形態によって記載したが、この開示の一部をなす論述および図面はこの発明を限定するものであると理解すべきではない。この開示から当業者には様々な代替実施の形態、実施例および運用技術が明らかとなろう。
【０１１５】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【０１１６】
例えば、第１，第２の実施の形態では、キャパシタとして電気二重層キャパシタＥＤＬＣ１，２を用いる場合について述べたが、これに限定されず、コンデンサ全般を用いることができる。
【産業上の利用可能性】
【０１１７】
本発明の待機電力低減モジュールは、テレビ受像機、ＤＶＤ録画機器等の待機モードを有する電気機器全般に適用できる。
【符号の説明】
【０１１８】
１０…交流電源
１１…コンバータ
１２、１２ａ…待機電力低減モジュール
１３…駆動部
１４…表示部
１５…音声制御部
１６…制御回路部
２０…負荷
２４ａ…電極パッド
２５ａ…はんだ付け部
３０…ＳＳＲ
３４ａ，３４ｂ…タブ電極
４０、４１…信号線
１００、２００…電気機器
１２０…キャパシタ充電回路
１２１…チャージャＩＣ
１２２…電圧監視ＩＣ
１２３…電圧監視回路
１２４、１２４ａ…スイッチ制御部
１２５、１２５ａ…ＳＷ_ＣＴＬ部
５００…モジュール基板
【図１】
2014023242.tif 000003
【図２】
2014023242.tif 000004
【図３】
2014023242.tif 000005
【図４】
2014023242.tif 000006
【図５】
2014023242.tif 000007
【図６】
2014023242.tif 000008
【図７】
2014023242.tif 000009
【図８】
2014023242.tif 000010
【図９】
2014023242.tif 000011
【図１０】
2014023242.tif 000012
【図１１】
2014023242.tif 000013